(57)【要約】【課題】走査画像校正装置及び校正方法の提供。【解決手段】この走査画像校正装置及び校正方法は、送紙経路上に取り付けられ、通過するドキュメントを走査する走査ユニット、該走査ユニットの上流に設置される第１送紙ロール、該走査ユニットの下流に設置される第２送紙ロールを包含する。そのうち、第１送紙ロールと第２送紙ロールの間にはその他の送紙ロールは設置されず、且つ第１送紙ロールと第２送紙ロールの間の距離はドキュメントの長さより小さい。センサユニットが送紙経路上に設置されて、ドキュメントの位置を検出及び前後のドキュメントの間の距離を検出する。コントロールユニットが該センサユニットと電気信号で接続され並びにセンサユニットの発生する信号により該第１送紙ロールと該第２送紙ロールの回転速度を制御する。ドキュメント位置の検出により、リアルタイムで送紙ロールの回転速度を調整してドキュメントの送り速度の変化を防止する。【選択図】図４
2015080135.tif 000002
【特許請求の範囲】
【請求項１】
走査画像校正装置において、
送紙経路上に取り付けられ、通過するドキュメントを走査する走査ユニット、
該走査ユニットの上流に設置される第１送紙ロール、
該走査ユニットの下流に設置される第２送紙ロールであって、該第１送紙ロールと該第２送紙ロールの間にはその他の送紙ロールは設置されず、且つ該第１送紙ロールと該第２送紙ロールの間の距離は該ドキュメントの長さより小さい、上記第２送紙ロール、
該送紙経路上に設置されて、該ドキュメントの位置及び前後のドキュメントの間の距離を検出するセンサユニット、
該センサユニットと電気信号で接続され並びにセンサユニットの発生する信号により該第１送紙ロールと該第２送紙ロールの回転速度を制御するコントロールユニット、
以上を包含することを特徴とする、走査画像校正装置。
【請求項２】
請求項１記載の走査画像校正装置において、上述のセンサユニットは、ドキュメント離脱センサ及び走査センサを包含し、該ドキュメント離脱センサは該第１送紙ロールの傍らに設置されてドキュメントとドキュメントの間の距離とドキュメントの後端が該第１送紙ロールを通過したか否かを検出し、該走査センサは該走査ユニットの傍らに設置されて、ドキュメントが該走査ユニットを通過したか否かを検出することを特徴とする、走査画像校正装置。
【請求項３】
請求項１記載の走査画像校正装置において、該第１送紙ロールと該第２送紙ロールはステップモータにより駆動され、該ステップモータの、受け取る電気信号の違いにより回転方向と速度を変化させる特性により、該コントロールユニットに該第１送紙ロールと該第２送紙ロールの回転方向と速度をコントロールさせることを特徴とする、走査画像校正装置。
【請求項４】
走査画像校正方法において、
ドキュメントが第１送紙ロール、第２送紙ロールにより逐一送紙経路中を輸送され、該送紙経路に設置されたセンサユニットがドキュメントの位置及びドキュメントとドキュメントの間の距離のモニタリングを開始するステップ、
ドキュメントが走査ユニットを通過しようとする時、該センサユニットは信号をコントロールユニットに送り、該コントロールユニットが該走査ユニットを制御してドキュメント走査を開始させるステップ、
該センサユニットがドキュメント輸送状態の変化を検出する時、信号を該コントロールユニットに送り、該コントロールユニットは該第１送紙ロール、該第２送紙ロールの回転速度を調整してドキュメントの輸送速度の変化を防止するステップ、
以上を包含することを特徴とする、走査画像校正方法。
【請求項５】
請求項４記載の走査画像校正方法において、ドキュメント輸送状態により、送紙ロールの回転速度を変更するステップは以下のとおりであり、
走査ユニットの傍らに設置されたセンサユニットの走査センサにより、ドキュメントの前端を検出し、並びに走査センサがトリガされる時に、信号をコントロールユニットに送り、
コントロールユニットが該走査センサの信号を受け取ると、コントロールユニットは走査センサをコントロールしてドキュメント走査を開始させ、
走査センサがなおもドキュメントを検出するが、第１送紙ロールの傍らに設置されたセンサユニットのドキュメント離脱センサがドキュメントがすでに離脱したことを検出する時、ドキュメント離脱センサは信号をコントロールユニットに送る、
コントロールユニットはドキュメント離脱センサの信号を受け取ると、第２送紙ロールをコントロールして回転速度を下げ、これによりドキュメント離脱センサ速度が速すぎて走査画像に異常が発生するのを防止する、
以上を特徴とする、走査画像校正方法。
【発明の詳細な説明】
【技術分野】
【０００１】
本発明は一種の走査画像校正装置及び校正方法に係り、特に一種の、デジタルコントロールを採用した走査画像校正装置及び校正方法に関する。
【背景技術】
【０００２】
図１を参照されたい。一般の自動ドキュメントフィード式スキャナ中には複数のロール２２’、２３’が採用され、連続して紙にドキュメントカートリッジより走査装置３０’を通過させ、並びにドキュメント上の文字或いはイメージを読み取る。ドキュメントを輸送過程中で平坦に保持するため、送紙機構を設計する時には、輸送経路下流の下流ロール２３’の回転速度は、上流の送紙に位置する上流ロール２２’よりやや速く設計される。上流、下流の二つのロール２２’、２３’の速度差を利用することで、ドキュメントを引き延ばして平らにするのである。
【０００３】
図２を参照されたい。ドキュメント１０が走査装置３０’を通過する時、走査装置３０’は、ドキュメント１０表面より、ストライプ状で、且つドキュメントの輸送方向と直交する画像をキャプチャする。以下に説明しやすいように、後続の明細書中で、このストライプ状の画像を走査線６０と称する。走査装置３０’は固定された周波数でドキュメント１０の表面の図形に対して撮影、サンプリングし、これにより各１本の走査線６０の間の距離を等しくする。全体のドキュメント１０表面がいずれも撮影、サンプリングされた後、後続処理により全ての走査線６０が併合されて完全なフレームを形成する。
【０００４】
ここで図３を参照されたい。図示されるように、完全な走査フレームは、全ての走査線６０が組み合わされてなり、これにより、ドキュメント１０の輸送速度が突然速くなるか或いは遅くなると、走査線６０と走査線６０の間の距離はそれにより減少するか増長し、並びに最終的に併合されて形成されるフレームレートが異常となる。そのうち、最も容易にドキュメント１０の輸送速度変化を形成する原因の一つは、ドキュメント１０の後端が上流ロール２２’を離脱する一瞬に、下流ロール２３’の回転速度が速くなりドキュメント１０が瞬間的に加速されることにある。
【０００５】
走査で取得されるフレームレートにエラーが発生するのを防止するため、周知の自動ドキュメントフィード式スキャナは、各種の異なる手段を採用することで、ドキュメントの後端がロールを離脱する時に発生する速度変化を防止している。たとえば、特許文献１には、異なる材質で送紙ロールを形成し、ドキュメントの後端が送紙ロールを離脱する時の過程を比較的ゆるやかとし、それによりドキュメントの突然の加速を防止している。また、特許文献２は、送紙ロール上にアクチュエータを取り付け、ドキュメントの後端が送紙ロールを離脱する準備をしている時、送紙ロールより釈放し、ドキュメントの突然の加速を防止している。
【０００６】
しかし、ロールが長期に使用されて摩損すると、性能が低下し、また、アクチュエータを取り付ける方法は、製造コストをアップする。以上の欠点を鑑み、既存の自動ドキュメントフィード式スキャナを改良して、生産と維持が容易な走査画像校正装置及び校正方法を提供することが必要である。
【先行技術文献】
【特許文献】
【０００７】
【特許文献１】米国特許第３，９８８，８１７号明細書
【特許文献２】米国特許第６，５３０，５６９号明細書
【発明の概要】
【発明が解決しようとする課題】
【０００８】
本発明の主要な目的は、一種の、生産と維持が容易な走査画像校正装置及び校正方法を提供することにある。
【課題を解決するための手段】
【０００９】
上述の目的を達成するため、本発明は、送紙経路上に取り付けられ、通過するドキュメントを走査する走査ユニット、該走査ユニットの上流に設置される第１送紙ロール、該走査ユニットの下流に設置される第２送紙ロールを包含する。そのうち、第１送紙ロールと第２送紙ロールの間にはその他の送紙ロールは設置されず、且つ第１送紙ロールと第２送紙ロールの間の距離はドキュメントの長さより小さい。本発明はさらに、送紙経路上に設置されて、ドキュメントの位置及び前後のドキュメントの間の距離を検出するセンサユニット、該センサユニットと電気信号で接続され並びにセンサユニットの発生する信号により該第１送紙ロールと該第２送紙ロールの回転速度を制御するコントロールユニットを包含する。
【００１０】
ある好適な実施例によると、上述のセンサユニットは、ドキュメント離脱センサ及び走査センサを包含し、該ドキュメント離脱センサは該第１送紙ロールの傍らに設置されてドキュメントとドキュメントの間の距離とドキュメントの後端が第１送紙ロールを通過したか否かを検出し、該走査センサは該走査ユニットの傍らに設置されて、ドキュメントが該走査ユニットを通過したか否かを検出する。
【００１１】
ある好適な実施例によると、該第１送紙ロールと該第２送紙ロールはステップモータにより駆動され、該ステップモータの、受け取る電気信号の違いにより回転方向と速度を変化させる特性により、該コントロールユニットに該第１送紙ロールと該第２送紙ロールの回転方向と速度をコントロールさせる。
【００１２】
本発明の走査画像校正方法は以下のステップを包含する。
ドキュメントが第１送紙ロール、第２送紙ロールにより逐一送紙経路中を輸送され、該送紙経路に設置されたセンサユニットがドキュメントの位置及びドキュメントとドキュメントの間の距離のモニタリングを開始し、ドキュメントが走査ユニットを通過しようとする時、該センサユニットは信号をコントロールユニットに送り、該コントロールユニットは走査ユニットを制御してドキュメント走査を開始させる。該センサユニットがドキュメント輸送状態の変化を検出する時、信号をコントロールユニットに送り、コントロールユニットは第１送紙ロール、第２送紙ロールの回転速度を調整してドキュメントの輸送速度の変化を防止する。
【００１３】
別の好適な実施例によると、ドキュメント輸送状態により、送紙ロールの回転速度を変更するステップは以下のとおりである。
走査ユニットの傍らに設置されたセンサユニットの走査センサにより、ドキュメントの前端を検出し、並びに走査センサがトリガされる時に、信号をコントロールユニットに送り、コントロールユニットが該走査センサの信号を受け取ると、コントロールユニットは走査センサをコントロールしてドキュメント走査を開始させる。走査センサがドキュメントを検出するが、第１送紙ロールの傍らに設置されたセンサユニットのドキュメント離脱センサがドキュメントがすでに離脱したことを検出する時、ドキュメント離脱センサは信号をコントロールユニットに送る。コントロールユニットはドキュメント離脱センサの信号を受け取ると、第２送紙ロールをコントロールして回転速度を下げ、これによりドキュメント離脱センサ速度が速すぎて走査画像に異常が発生するのを防止する。
【発明の効果】
【００１４】
本発明はドキュメント位置を検出することにより、リアルタイムで送紙ロールの回転速度を調整してドキュメント離脱センサの輸送速度の変化を防止する。周知の技術と比較すると、本発明は余分の装置を取り付ける必要がなく、機械の使用による磨耗の後に発生する誤差を防止できる。これにより、一種の、生産と維持が容易である走査画像校正装置及び校正方法を提供できる。
【図面の簡単な説明】
【００１５】
【図１】周知の自動ドキュメントフィード式スキャナの断面図である。
【図２】ドキュメント輸送速度の変化により形成される走査画像の異常を示す図である。
【図３】ドキュメント輸送速度の変化により形成される走査画像の異常を示す図である。
【図４】本発明の走査画像校正装置の断面図である。
【図５】本発明の走査画像校正方法のフローチャートである。
【図６】本発明の走査開始時の断面図である。
【図７】本発明の走査モード切り換え時の断面図である。
【発明を実施するための形態】
【００１６】
以下に本発明の技術内容、構造特徴、達成する目的及び作用効果について、以下に例を挙げ並びに図面を組み合わせて詳細に説明する。
【００１７】
図４を参照されたい。本発明の走査画像校正装置は、送紙経路２１上に取り付けられた走査ユニット３０を包含する。第１送紙ロール２２が走査ユニット３０の上流に設置される。第２送紙ロール２３が走査ユニット３０の下流に設置される。そのうち、第１送紙ロール２２と第２送紙ロール２３の間にはその他の送紙ロールは設置されず、且つ第１送紙ロール２２と第２送紙ロール２３の間の距離は、ドキュメントの長さより小さい。センサユニット４０が、送紙経路２１上に設置されて、ドキュメントの位置及び前後のドキュメントの間の距離を検出する。及び、コントロールユニット５０が、センサユニット４０と電気信号で接続され、並びにセンサユニット４０の発生する信号により、第１送紙ロール２２と第２送紙ロール２３の回転速度をコントロールする。
【００１８】
この実施例において、上述のセンサユニット４０は、ドキュメント離脱センサ４１及び走査センサ４２を包含する。ドキュメント離脱センサ４１は第１送紙ロール２２の傍らに設置されて、ドキュメントとドキュメントの間の距離及びドキュメントが第１送紙ロール２２を通過したか否かを検出するのに用いられる。走査センサ４２は、走査ユニット３０の傍らに設置されて、ドキュメントが走査ユニット３０を通過したか否かを検出するのに用いられる。第１送紙ロール２２と第２送紙ロール２３は、連動機構（図示せず）を介して、ステップモータ（図示せず）により駆動される。ステップモータの、受け取る電気信号の違いにより、その回転方向と速度を変化させる特性により、コントロールユニット５０に第１送紙ロール２２と第２送紙ロール２３の回転速度と方向をコントロールさせる。
【００１９】
ここで図４と図５を参照されたい。本発明中の走査画像校正方法のステップは以下のとおりである。
自動ドキュメントフィード式スキャナが走査開始する時、ドキュメントは、第１送紙ロール２２、第２送紙ロール２３により逐一送紙経路２１中を輸送され、該送紙経路２１に設置されたセンサユニット４０がドキュメントの位置及び輸送速度のモニタリングを開始する。ドキュメントが走査ユニット３０を通過しようとする時、該センサユニット４０は信号をコントロールユニット５０に送り、該コントロールユニット５０は走査ユニット３０を制御してドキュメント走査を開始させる。該センサユニット４０がドキュメント輸送状態或いは輸送速度の変化を検出する時、信号をコントロールユニット５０に送り、コントロールユニット５０はこれを受けて第１送紙ロール２２、第２送紙ロール２３の回転速度及びドキュメントの輸送速度を調整する。走査が完成し且つドキュメントが走査ユニット３０を離れると、走査により得られた画像データを順に併合し完全な画像を完成する。
【００２０】
この実施例において、ドキュメントが第１送紙ロール２２を離脱した後に、加速されて走査画像のレートが変化するのを防止するため、ドキュメントが正常の速度で走査ユニット３０を通過する時間点とドキュメントが加速されて走査ユニット３０を通過する時間点を区別する必要がある。そのステップは以下のとおりである。
【００２１】
図５から図７を参照されたい。本発明の走査画像校正方法を実行するステップは以下のとおりである。
【００２２】
まず、ドキュメント１０が送紙経路２１中を移動し、第１送紙ロール２２と第２送紙ロール２３を介して、走査ユニット３０の位置が送られ、第２送紙ロール２３の速度はやや第１送紙ロール２２より速く、且つ第１送紙ロール２２と第２送紙ロール２３の間の距離は、ドキュメント１０の長さより小さく、これにより、ドキュメント１０が同時に第１送紙ロール２２と第２送紙ロール２３の夾持を受ける時、張力を受けてドキュメント１０の表面が平らとなり、走査ユニット３０による走査が行える。
【００２３】
ドキュメント１０が走査ユニット３０を通過する時に、走査ユニット３０の傍らに位置する走査センサ４２をトリガし、並びに走査センサ４２より信号がコントロールユニット５０に送られる。コントロールユニット５０は信号を受け取ると、走査ユニット３０を駆動し並びにドキュメント１０走査を開始させる。ドキュメント１０の移動に伴い、走査ユニット３０は固定周波数でドキュメント１０表面の画像をキャプチャして１本ずつの走査線６０となす。このとき、ドキュメント１０は等速度で移動し、これにより各走査線６０の間の距離は等しく保持される。
【００２４】
ドキュメント１０の後端が第１送紙ロール２２を離脱した後、ドキュメント１０は僅かに回転速度が比較的速い第２送紙ロール２３により駆動され、これにより加速されて走査ユニット３０を通過し、並びに走査線６０と走査線６０の間の距離が長くなる。走査線６０の間の距離を等しく保持するため、ドキュメント離脱センサ４１はドキュメント１０の後端が第１送紙ロール２２より離脱するのを検出すると、信号をコントロールユニット５０に送り、コントロールユニット５０はこの信号を受け取ると、ステップモータの回転速度を減じ、これにより、第２送紙ロール２３の回転速度を下げてドキュメント１０の移動速度を不変に維持する。
【００２５】
以上の説明から分かるように、本発明はドキュメント位置の検出により、リアルタイムで送紙ロールの回転速度を調整することでドキュメントの輸送速度の変化を防止する。周知の技術と比較すると、本発明は余分の装置を取り付ける必要がなく、並びに機械部品の使用による磨耗のもたらす誤差を防止できる。これにより、生産と維持が容易な走査画像校正装置及び校正方法を提供できる。
【符号の説明】
【００２６】
２２’上流ロール
２３’下流ロール
３０’走査装置
１０  ドキュメント
２１  送紙経路
２２  第１送紙ロール
２３  第２送紙ロール
３０  走査ユニット
４０  センサユニット
４１  ドキュメント離脱センサ
４２  走査センサ
５０  コントロールユニット
６０  走査線
【図１】
2015080135.tif 000003
【図２】
2015080135.tif 000004
【図３】
2015080135.tif 000005
【図４】
2015080135.tif 000006
【図５】
2015080135.tif 000007
【図６】
2015080135.tif 000008
【図７】
2015080135.tif 000009
【手続補正書】
【提出日】平成26年11月27日(2014.11.27)
【手続補正１】
【補正対象書類名】明細書
【補正対象項目名】全文
【補正方法】変更
【補正の内容】
【発明の詳細な説明】
【技術分野】
【０００１】
本発明は一種の走査画像校正装置及び校正方法に係り、特に一種の、デジタルコントロールを採用した走査画像校正装置及び校正方法に関する。
【背景技術】
【０００２】
図１を参照されたい。一般の自動ドキュメントフィード式スキャナ中には複数のロール２２’、２３’が採用され、連続して紙にドキュメントカートリッジより走査装置３０’を通過させ、並びにドキュメント上の文字或いはイメージを読み取る。ドキュメントを輸送過程中で平坦に保持するため、送紙機構を設計する時には、輸送経路下流の下流ロール２３’の回転速度は、上流の送紙に位置する上流ロール２２’よりやや速く設計される。上流、下流の二つのロール２２’、２３’の速度差を利用することで、ドキュメントを引き延ばして平らにするのである。
【０００３】
図２を参照されたい。ドキュメント１０が走査装置３０’を通過する時、走査装置３０’は、ドキュメント１０表面より、ストライプ状で、且つドキュメントの輸送方向と直交する画像をキャプチャする。以下に説明しやすいように、後続の明細書中で、このストライプ状の画像を走査線６０と称する。走査装置３０’は固定された周波数でドキュメント１０の表面の図形に対して撮影、サンプリングし、これにより各１本の走査線６０の間の距離を等しくする。全体のドキュメント１０表面がいずれも撮影、サンプリングされた後、後続処理により全ての走査線６０が併合されて完全なフレームを形成する。
【０００４】
ここで図３を参照されたい。図示されるように、完全な走査フレームは、全ての走査線６０が組み合わされてなり、これにより、ドキュメント１０の輸送速度が突然速くなるか或いは遅くなると、走査線６０と走査線６０の間の距離はそれにより減少するか増長し、並びに最終的に併合されて形成されるフレームレートが異常となる。そのうち、最も容易にドキュメント１０の輸送速度変化を形成する原因の一つは、ドキュメント１０の後端が上流ロール２２’を離脱する一瞬に、下流ロール２３’の回転速度が速くなりドキュメント１０が瞬間的に加速されることにある。
【０００５】
走査で取得されるフレームレートにエラーが発生するのを防止するため、周知の自動ドキュメントフィード式スキャナは、各種の異なる手段を採用することで、ドキュメントの後端がロールを離脱する時に発生する速度変化を防止している。たとえば、特許文献１には、異なる材質で送紙ロールを形成し、ドキュメントの後端が送紙ロールを離脱する時の過程を比較的ゆるやかとし、それによりドキュメントの突然の加速を防止している。また、特許文献２は、送紙ロール上にアクチュエータを取り付け、ドキュメントの後端が送紙ロールを離脱する準備をしている時、送紙ロールより釈放し、ドキュメントの突然の加速を防止している。
【０００６】
しかし、ロールが長期に使用されて摩損すると、性能が低下し、また、アクチュエータを取り付ける方法は、製造コストをアップする。以上の欠点を鑑み、既存の自動ドキュメントフィード式スキャナを改良して、生産と維持が容易な走査画像校正装置及び校正方法を提供することが必要である。
【先行技術文献】
【特許文献】
【０００７】
【特許文献１】米国特許第３，９８８，８１７号明細書
【特許文献２】米国特許第６，５３０，５６９号明細書
【発明の概要】
【発明が解決しようとする課題】
【０００８】
本発明の主要な目的は、一種の、生産と維持が容易な走査画像校正装置及び校正方法を提供することにある。
【課題を解決するための手段】
【０００９】
上述の目的を達成するため、本発明は、送紙経路上に取り付けられ、通過するドキュメントを走査する走査ユニット、該走査ユニットの上流に設置される第１送紙ロール、該走査ユニットの下流に設置される第２送紙ロールを包含する。そのうち、第１送紙ロールと第２送紙ロールの間にはその他の送紙ロールは設置されず、且つ第１送紙ロールと第２送紙ロールの間の距離はドキュメントの長さより小さい。本発明はさらに、送紙経路上に設置されて、ドキュメントの位置及び前後のドキュメントの間の距離を検出するセンサユニット、該センサユニットと電気信号で接続され並びにセンサユニットの発生する信号により該第１送紙ロールと該第２送紙ロールの回転速度を制御するコントロールユニットを包含する。
【００１０】
ある好適な実施例によると、上述のセンサユニットは、ドキュメント離脱センサ及び走査センサを包含し、該ドキュメント離脱センサは該第１送紙ロールの傍らに設置されてドキュメントとドキュメントの間の距離とドキュメントの後端が第１送紙ロールを通過したか否かを検出し、該走査センサは該走査ユニットの傍らに設置されて、ドキュメントが該走査ユニットを通過したか否かを検出する。
【００１１】
ある好適な実施例によると、該第１送紙ロールと該第２送紙ロールはステップモータにより駆動され、該ステップモータの、受け取る電気信号の違いにより回転方向と速度を変化させる特性により、該コントロールユニットに該第１送紙ロールと該第２送紙ロールの回転方向と速度をコントロールさせる。
【００１２】
本発明の走査画像校正方法は以下のステップを包含する。
ドキュメントが第１送紙ロール、第２送紙ロールにより逐一送紙経路中を輸送され、該送紙経路に設置されたセンサユニットがドキュメントの位置及びドキュメントとドキュメントの間の距離のモニタリングを開始し、ドキュメントが走査ユニットを通過しようとする時、該センサユニットは信号をコントロールユニットに送り、該コントロールユニットは走査ユニットを制御してドキュメント走査を開始させる。該センサユニットがドキュメント輸送状態の変化を検出する時、信号をコントロールユニットに送り、コントロールユニットは第１送紙ロール、第２送紙ロールの回転速度を調整してドキュメントの輸送速度の変化を防止する。
【００１３】
別の好適な実施例によると、ドキュメント輸送状態により、送紙ロールの回転速度を変更するステップは以下のとおりである。
走査ユニットの傍らに設置されたセンサユニットの走査センサにより、ドキュメントの前端を検出し、並びに走査センサがトリガされる時に、信号をコントロールユニットに送り、コントロールユニットが該走査センサの信号を受け取ると、コントロールユニットは走査センサをコントロールしてドキュメント走査を開始させる。走査センサがドキュメントを検出するが、第１送紙ロールの傍らに設置されたセンサユニットのドキュメント離脱センサがドキュメントがすでに離脱したことを検出する時、ドキュメント離脱センサは信号をコントロールユニットに送る。コントロールユニットはドキュメント離脱センサの信号を受け取ると、第２送紙ロールをコントロールして回転速度を下げ、これによりドキュメントの輸送速度が速すぎて走査画像に異常が発生するのを防止する。
【発明の効果】
【００１４】
本発明はドキュメント位置を検出することにより、リアルタイムで送紙ロールの回転速度を調整してドキュメントの輸送速度の変化を防止する。周知の技術と比較すると、本発明は余分の装置を取り付ける必要がなく、機械の使用による磨耗の後に発生する誤差を防止できる。これにより、一種の、生産と維持が容易である走査画像校正装置及び校正方法を提供できる。
【図面の簡単な説明】
【００１５】
【図１】周知の自動ドキュメントフィード式スキャナの断面図である。
【図２】ドキュメント輸送速度の変化により形成される走査画像の異常を示す図である。
【図３】ドキュメント輸送速度の変化により形成される走査画像の異常を示す図である。
【図４】本発明の走査画像校正装置の断面図である。
【図５】本発明の走査画像校正方法のフローチャートである。
【図６】本発明の走査開始時の断面図である。
【図７】本発明の走査モード切り換え時の断面図である。
【発明を実施するための形態】
【００１６】
以下に本発明の技術内容、構造特徴、達成する目的及び作用効果について、以下に例を挙げ並びに図面を組み合わせて詳細に説明する。
【００１７】
図４を参照されたい。本発明の走査画像校正装置は、送紙経路２１上に取り付けられた走査ユニット３０を包含する。第１送紙ロール２２が走査ユニット３０の上流に設置される。第２送紙ロール２３が走査ユニット３０の下流に設置される。そのうち、第１送紙ロール２２と第２送紙ロール２３の間にはその他の送紙ロールは設置されず、且つ第１送紙ロール２２と第２送紙ロール２３の間の距離は、ドキュメントの長さより小さい。センサユニット４０が、送紙経路２１上に設置されて、ドキュメントの位置及び前後のドキュメントの間の距離を検出する。及び、コントロールユニット５０が、センサユニット４０と電気信号で接続され、並びにセンサユニット４０の発生する信号により、第１送紙ロール２２と第２送紙ロール２３の回転速度をコントロールする。
【００１８】
この実施例において、上述のセンサユニット４０は、ドキュメント離脱センサ４１及び走査センサ４２を包含する。ドキュメント離脱センサ４１は第１送紙ロール２２の傍らに設置されて、ドキュメントとドキュメントの間の距離及びドキュメントが第１送紙ロール２２を通過したか否かを検出するのに用いられる。走査センサ４２は、走査ユニット３０の傍らに設置されて、ドキュメントが走査ユニット３０を通過したか否かを検出するのに用いられる。第１送紙ロール２２と第２送紙ロール２３は、連動機構（図示せず）を介して、ステップモータ（図示せず）により駆動される。ステップモータの、受け取る電気信号の違いにより、その回転方向と速度を変化させる特性により、コントロールユニット５０に第１送紙ロール２２と第２送紙ロール２３の回転速度と方向をコントロールさせる。
【００１９】
ここで図４と図５を参照されたい。本発明中の走査画像校正方法のステップは以下のとおりである。
自動ドキュメントフィード式スキャナが走査開始する時、ドキュメントは、第１送紙ロール２２、第２送紙ロール２３により逐一送紙経路２１中を輸送され、該送紙経路２１に設置されたセンサユニット４０がドキュメントの位置及び輸送速度のモニタリングを開始する。ドキュメントが走査ユニット３０を通過しようとする時、該センサユニット４０は信号をコントロールユニット５０に送り、該コントロールユニット５０は走査ユニット３０を制御してドキュメント走査を開始させる。該センサユニット４０がドキュメント輸送状態或いは輸送速度の変化を検出する時、信号をコントロールユニット５０に送り、コントロールユニット５０はこれを受けて第１送紙ロール２２、第２送紙ロール２３の回転速度及びドキュメントの輸送速度を調整する。走査が完成し且つドキュメントが走査ユニット３０を離れると、走査により得られた画像データを順に併合し完全な画像を完成する。
【００２０】
この実施例において、ドキュメントが第１送紙ロール２２を離脱した後に、加速されて走査画像のレートが変化するのを防止するため、ドキュメントが正常の速度で走査ユニット３０を通過する時間点とドキュメントが加速されて走査ユニット３０を通過する時間点を区別する必要がある。そのステップは以下のとおりである。
【００２１】
図５から図７を参照されたい。本発明の走査画像校正方法を実行するステップは以下のとおりである。
【００２２】
まず、ドキュメント１０が送紙経路２１中を移動し、第１送紙ロール２２と第２送紙ロール２３を介して、走査ユニット３０の位置が送られ、第２送紙ロール２３の速度はやや第１送紙ロール２２より速く、且つ第１送紙ロール２２と第２送紙ロール２３の間の距離は、ドキュメント１０の長さより小さく、これにより、ドキュメント１０が同時に第１送紙ロール２２と第２送紙ロール２３の夾持を受ける時、張力を受けてドキュメント１０の表面が平らとなり、走査ユニット３０による走査が行える。
【００２３】
ドキュメント１０が走査ユニット３０を通過する時に、走査ユニット３０の傍らに位置する走査センサ４２をトリガし、並びに走査センサ４２より信号がコントロールユニット５０に送られる。コントロールユニット５０は信号を受け取ると、走査ユニット３０を駆動し並びにドキュメント１０走査を開始させる。ドキュメント１０の移動に伴い、走査ユニット３０は固定周波数でドキュメント１０表面の画像をキャプチャして１本ずつの走査線６０となす。このとき、ドキュメント１０は等速度で移動し、これにより各走査線６０の間の距離は等しく保持される。
【００２４】
ドキュメント１０の後端が第１送紙ロール２２を離脱した後、ドキュメント１０は僅かに回転速度が比較的速い第２送紙ロール２３により駆動され、これにより加速されて走査ユニット３０を通過し、並びに走査線６０と走査線６０の間の距離が長くなる。走査線６０の間の距離を等しく保持するため、ドキュメント離脱センサ４１はドキュメント１０の後端が第１送紙ロール２２より離脱するのを検出すると、信号をコントロールユニット５０に送り、コントロールユニット５０はこの信号を受け取ると、ステップモータの回転速度を減じ、これにより、第２送紙ロール２３の回転速度を下げてドキュメント１０の移動速度を不変に維持する。
【００２５】
以上の説明から分かるように、本発明はドキュメント位置の検出により、リアルタイムで送紙ロールの回転速度を調整することでドキュメントの輸送速度の変化を防止する。周知の技術と比較すると、本発明は余分の装置を取り付ける必要がなく、並びに機械部品の使用による磨耗のもたらす誤差を防止できる。これにより、生産と維持が容易な走査画像校正装置及び校正方法を提供できる。
【符号の説明】
【００２６】
２２’上流ロール
２３’下流ロール
３０’走査装置
１０  ドキュメント
２１  送紙経路
２２  第１送紙ロール
２３  第２送紙ロール
３０  走査ユニット
４０  センサユニット
４１  ドキュメント離脱センサ
４２  走査センサ
５０  コントロールユニット
６０  走査線
【手続補正２】
【補正対象書類名】特許請求の範囲
【補正対象項目名】全文
【補正方法】変更
【補正の内容】
【特許請求の範囲】
【請求項１】
走査画像校正装置において、
送紙経路上に取り付けられ、通過するドキュメントを走査する走査ユニット、
該走査ユニットの上流に設置される第１送紙ロール、
該走査ユニットの下流に設置される第２送紙ロールであって、該第１送紙ロールと該第２送紙ロールの間にはその他の送紙ロールは設置されず、且つ該第１送紙ロールと該第２送紙ロールの間の距離は該ドキュメントの長さより小さい、上記第２送紙ロール、
該送紙経路上に設置されて、該ドキュメントの位置及び前後のドキュメントの間の距離を検出するセンサユニット、
該センサユニットと電気信号で接続され並びにセンサユニットの発生する信号により該第１送紙ロールと該第２送紙ロールの回転速度を制御するコントロールユニット、
以上を包含し、
上述のセンサユニットは、ドキュメント離脱センサ及び走査センサを包含し、該ドキュメント離脱センサは該第１送紙ロールの傍らに設置されてドキュメントとドキュメントの間の距離とドキュメントの後端が該第１送紙ロールを通過したか否かを検出し、該走査センサは該走査ユニットの傍らに設置されて、ドキュメントが該走査ユニットを通過したか否かを検出することを特徴とする、走査画像校正装置。
【請求項２】
請求項１記載の走査画像校正装置において、該第１送紙ロールと該第２送紙ロールはステップモータにより駆動され、該ステップモータの、受け取る電気信号の違いにより回転方向と速度を変化させる特性により、該コントロールユニットに該第１送紙ロールと該第２送紙ロールの回転方向と速度をコントロールさせることを特徴とする、走査画像校正装置。
【請求項３】
走査画像校正方法において、
ドキュメントが第１送紙ロール、第２送紙ロールにより逐一送紙経路中を輸送され、該送紙経路に設置されたセンサユニットがドキュメントの位置及びドキュメントとドキュメントの間の距離のモニタリングを開始するステップ、
ドキュメントが走査ユニットを通過しようとする時、該センサユニットは信号をコントロールユニットに送り、該コントロールユニットが該走査ユニットを制御してドキュメント走査を開始させるステップ、
該センサユニットがドキュメント輸送状態の変化を検出する時、信号を該コントロールユニットに送り、該コントロールユニットは該第１送紙ロール、該第２送紙ロールの回転速度を調整してドキュメントの輸送速度の変化を防止するステップ、
以上を包含し、
ドキュメント輸送状態により、送紙ロールの回転速度を変更するステップは以下のとおりであり、
走査ユニットの傍らに設置されたセンサユニットの走査センサにより、ドキュメントの前端を検出し、並びに走査センサがトリガされる時に、信号をコントロールユニットに送り、
コントロールユニットが該走査センサの信号を受け取ると、コントロールユニットは走査センサをコントロールしてドキュメント走査を開始させ、
走査センサがなおもドキュメントを検出するが、第１送紙ロールの傍らに設置されたセンサユニットのドキュメント離脱センサがドキュメントがすでに離脱したことを検出する時、ドキュメント離脱センサは信号をコントロールユニットに送る、
コントロールユニットはドキュメント離脱センサの信号を受け取ると、第２送紙ロールをコントロールして回転速度を下げ、これによりドキュメントの瞬間加速による画像ショック及び走査画像の比の変化を修正する、
以上を特徴とする、走査画像校正方法。